(57)【特許請求の範囲】
【請求項１】
アナログレコードプレーヤー本体と、
前記アナログレコードプレーヤー本体に開閉自在に取り付けられるダストケースと、
前記ダストケースの内部に設けられ、レコードジャケットを、前記ダストケースの内面に係止するストッパとを備え、
前記ダストケースは、閉じている状態から９０度以上、１８０度未満の角度で開閉可能とされ、
前記ダストケースが開かれた状態で、前記レコードジャケットが設置される設置面は、表面が凹凸からなる滑り止め面とされていることを特徴とするレコードプレーヤー。
【請求項２】
請求項１に記載のレコードプレーヤーにおいて、
前記ストッパは、前記ダストケースを開いた状態で、前記レコードジャケットの設置面に設けられる突起であることを特徴とするレコードプレーヤー。
【請求項３】
請求項１または請求項２に記載のレコードプレーヤーにおいて、
前記ダストケースが開かれた状態で、前記レコードジャケットが設置される設置面は、
前記アナログレコードプレーヤー本体から離れるにしたがって、しだいに肉薄となる傾斜面とされていることを特徴とするレコードプレーヤー。
【請求項４】
請求項１に記載のレコードプレーヤーにおいて、
前記ダストケースは、前記アナログレコードプレーヤー本体と対向配置される天面部と、前記天面部の側面に設けられる側面部と、前記天面部の前面に設けられる前面部とを備え、
前記ストッパは、前記天面部、前記側面部、および前記前面部の少なくともいずれかに設けられた突起であることを特徴とするレコードプレーヤー。
【請求項５】
請求項１に記載のレコードプレーヤーにおいて、
前記ストッパは、前記ダストケースを開いた状態で、前記レコードジャケットの設置面に形成される溝であることを特徴とするレコードプレーヤー。
【請求項６】
請求項１に記載のレコードプレーヤーにおいて、
前記ダストケースは、前記アナログレコードプレーヤー本体と対向配置される天面部と、前記天面部の側面に設けられる側面部と、前記天面部の前面に設けられる前面部とを備え、
前記ストッパは、前記天面部、前記側面部、および前記前面部の少なくともいずれかに設けられる突起と、前記ダストケースを開いた状態で、前記レコードジャケットの設置面に形成される溝であることを特徴とするレコードプレーヤー。
【発明の詳細な説明】
【技術分野】
【０００１】
本発明は、レコードプレーヤーに関する。
【背景技術】
【０００２】
従来、コンサートやクラブシーンにおいて行われるＤＪパフォーマンス等では、オンエアー中の楽曲の音源となるレコード盤のジャケットを提示することが行われている。
このようなレコード盤を提示する方法としては、たとえば、特許文献１に記載のように、専用の展示するための装置を作り、これをＤＪの近傍に設置することにより、ＤＪが現在オンエアー中の楽曲を視認することができる。
また、レコードプレーヤーでレコードを鑑賞している間、レコードジャケットの置き場所に困るユーザーも存在する。さらに、レコード鑑賞中に、同時にレコードジャケットを鑑賞したいというニーズも存在する。
【先行技術文献】
【特許文献】
【０００３】
【特許文献１】特開２００８−５３９９２３号公報
【発明の概要】
【発明が解決しようとする課題】
【０００４】
しかしながら、前記特許文献１に記載の展示用の装置を用いる場合、別途購入のコストが発生したり、展示用の装置のスペースをレコードプレーヤーのそばに確保しなければならないという課題がある。【０００５】
本発明の目的は、レコードの再生中に、別途装置を追加することなく、レコードジャケットを展示、鑑賞することのできるレコードプレーヤーを提供することにある。
【課題を解決するための手段】
【０００６】
本発明のレコードプレーヤーは、アナログレコードプレーヤー本体と、前記アナログレコードプレーヤーに開閉自在に取り付けられるダストケースと、前記ダストケースの内部に設けられ、レコードジャケットを、前記ダストケースの内面に係止するストッパとを備え、前記ダストケースは、閉じている状態から９０度以上、１８０度未満の角度で開閉可能とされ、前記ダストケースが開かれた状態で、前記レコードジャケットが設置される設置面は、表面が凹凸からなる滑り止め面とされていることを特徴とする。
【図面の簡単な説明】
【０００７】
【図１】本発明の第１実施形態に係るレコードプレーヤーの正面図。
【図２】前記実施形態におけるレコードプレーヤーの側面図。
【図３】本発明の第２実施形態に係るレコードプレーヤーの部分断面図。
【図４】本発明の第３実施形態に係るレコードプレーヤーの部分断面図。
【図５】本発明の第４実施形態に係るレコードプレーヤーの部分断面図。
【発明を実施するための形態】
【０００８】
［１］第１実施形態
以下、本発明の実施形態を図面に基づいて説明する。図１および図２には、本発明の第１実施形態に係るレコードプレーヤー１が示されている。
レコードプレーヤー１は、コンサートやクラブシーンにおいて行われるＤＪパフォーマンス等で使用されるものであり、アナログレコードプレーヤー本体２と、ダストケース３と、ストッパ５とを備える。
【０００９】
アナログレコードプレーヤー本体２は、略中央に回転可能に設けられるターンテーブル２Ａと、ターンテーブル２Ａの側方に回転可能に設けられるトーンアーム２Ｂとを備える。
アナログレコードプレーヤー本体２のターンテーブル２Ａ上には、レコードがセットされ、トーンアーム２Ｂの先端に設けられるレコード針をレコード上に落とし、ターンテーブル２Ａを一定速度で回転させる。操作者は、ターンテーブル２Ａを正逆回転させたり、回転速度を低下させたりすることにより、スクラッチ、ピッチベンド等のＤＪパフォーマンスを行うことができる。
【００１０】
ターンテーブル２Ａは、アナログレコードプレーヤー本体２の略中央に回転可能に保持され、アナログレコードプレーヤー本体２の内部に収容される図示しない駆動モータによって回転駆動する。なお、図示を略したが、ＤＪパフォーマンスを行う場合、レコードをスクラッチさせるため、ターンテーブル２Ａ上にレコードを滑らせるためのターンテーブルシートを敷き、その上にレコードをセットする。
トーンアーム２Ｂは、アナログレコードプレーヤー本体２の右上隅部を中心として、回転可能に設けられ、トーンアーム２Ｂの先端には、ヘッドシェル２Ｃが設けられている。ヘッドシェルの先端には、レコードを再生するレコード針が装着されたカートリッジが取り付けられる。なお、トーンアーム２Ｂの回転中心の反対側には、バランスウェイトが設けられ、カートリッジのレコード針がレコード盤に作用させる力が一定になるようになっている。
【００１１】
ターンテーブル２Ａの左下側には、パワースイッチ２Ｄおよびスタートストップボタン２Ｅが設けられ、操作者がこれらのスイッチ、ボタンを操作することにより、ターンテーブル２Ａを回転させたり、停止させたりすることができる。
スタートストップボタン２Ｅの右側には、スピードチェンジボタン２Ｆが設けられており、操作者がスピードチェンジボタン２Ｆを操作することにより、再生速度を３３ＲＰＭに設定してＬＰ盤の再生を行ったり、再生速度を４５ＲＰＭに設定してＥＰ盤の再生を行ったりすることができる。
【００１２】
トーンアーム２Ｂの右側には、テンポスライダー２Ｇが設けられ、操作者がテンポスライダー２Ｇを操作することにより、レコード盤の再生速度を調整することができる。
ターンテーブル２Ａの外周縁右下には、イルミネーター２Ｈが設けられている。このイルミネーター２Ｈは、トーンアーム２Ｂの先端に取り付けられたカートリッジのレコード針を、最初にレコード盤に落とす位置を照明するために設けられている。操作者は、イルミネーター２Ｈでレコード針を照明することにより、暗所においても適切なレコード盤の開始位置にレコード針を落とすことができる。
【００１３】
ダストケース３は、ターンテーブル２Ａおよびトーンアーム２Ｂを含むアナログレコードプレーヤー本体２の上部を覆い、下方が開口された透明なプラスチック製の箱状体から構成される。
ダストケース３は、アナログレコードプレーヤー本体２の上面に対向配置される天面部３Ａと、天面部３Ａの外周縁に沿って設けられる側板部３Ｂ、３Ｃを備える。
【００１４】
側板部３Ｂは、閉鎖時、アナログレコードプレーヤー本体２の前面および側面を覆い、側板部３Ｃは、後面を覆い、ヒンジ４を介して、アナログレコードプレーヤー本体２に開閉自在に取り付けられる。
ダストケース３は、図２に示されるように、閉じている状態から角度θまで開閉可能とされており、角度θの開閉範囲としては、９０度以上、１８０度未満に設定されている。
【００１５】
側板部３Ｃには、側板部３Ｃの内側面にストッパ５が設けられ、ストッパ５は、図１に示されるように、天面部３Ａ内にレコードジャケットＲＪを収容すると、レコードジャケットＲＪがダストケース３から脱落することを防止する。側板部３Ｃの内面は、透明なプラスチックで形成してもよいが、表面に凹凸を有する樹脂シート等を、レコードジャケットＲＪの設置面となる側板部３Ｃの内面に貼り付け、滑り止め面を形成し、レコードジャケットＲＪの脱落を防止してもよい。
ストッパ５は、プラスチック等の中実材で構成され、レコードジャケットＲＪを、ダストケース３の内面に係止する。このストッパ５は、側板部３Ｃの内面に、接着剤等により、貼り付けて側板部３Ｃの内面から突出する突起として構成される。なお、本実施形態では、ヒンジ４が設けられる側板部３Ｃにストッパ５を設けていたが、これに限らず、アナログレコードプレーヤー本体２の側面を覆う側板部３Ｂや、前面を覆う側板部３Ｂの内面に設けてもよい。
【００１６】
このような本実施形態によれば、ダストケース３がアナログレコードプレーヤー本体２に対して、９０度以上１８０度未満の角度θで開閉可能とされるので、角度θでダストケース３を開いておけば、天面部３ＡにレコードジャケットＲＪを支持させることができ、別途レコード展示用の装置を用いることなく、ＤＪパフォーマンスを行う上で邪魔になることもない。
側板部３Ｃの内面にストッパ５が設けられているので、ＤＪパフォーマンス等によって、レコードプレーヤー１が動いたとしても、ストッパ５でレコードジャケットＲＪを抑え、ダストケース３からレコードジャケットＲＪが脱落することを防止できる。
【００１７】
［２］第２実施形態
次に、本発明の第２実施形態について説明する。なお、以下の説明では、既に説明した部分または部材等と同一の部分等については、同一符号を付して説明を省略する。
前述の第１実施形態に係るストッパ５が設けられた側板部３Ｃの内面は、同一の厚さからなる板状部材から構成されていた。
これに対して、本実施形態の側板部３Ｄは、図３に示されるように、ダストケース３の開口縁から天面部３Ａに向かうにしたがって、しだいに肉薄となり、ダストケース３を開いた状態で、レコードジャケットＲＪの設置面となる側板部３Ｄの内面は、ダストケース３の開口縁から天面部３Ａに向かって下がり勾配となる傾斜面とされている点が相違する。
【００１８】
このような本実施形態によっても、前述した第１実施形態と同様の効果を奏することができる。
また、側板部３Ｄの内面を下がり勾配の傾斜面とすることにより、レコードジャケットＲＪを収容した際、ダストケース３内からレコードジャケットＲＪが飛び出しにくくなるので、レコードジャケットＲＪを一層しっかりと保持させることができる。
【００１９】
［３］第３実施形態
次に、本発明の第３実施形態について説明する。
前述の第１実施形態では、ストッパ５は、レコードジャケットＲＪの設置面となる側板部３Ｃの内面に設けられていた。
これに対して、本実施形態のストッパ５は、図４に示されるように、アナログレコードプレーヤー本体２の側面または前面を覆うダストケース３の側板部３Ｂに設けられている点が相違する。
【００２０】
ストッパ５が、アナログレコードプレーヤー本体２の側面を覆う側板部３Ｂに設けられている場合、側面部となる側板部３Ｂに設けられるストッパ５は、レコードジャケットＲＪの側端を抑えるようにして、レコードジャケットＲＪを係止する。
一方、ストッパ５が、アナログレコードプレーヤー本体２の前面を覆う側板部３Ｂに設けられている場合、前面部となる側板部３Ｂに設けられるストッパ５は、アナログレコードプレーヤー本体２の上端を抑えるようにして、レコードジャケットＲＪを係止する。なお、ストッパ５の数は、特に限定されるものではなく、１箇所に設けてもよく、複数箇所に設けてもよい。また、図示を略したが、ストッパの側面形状を鈎形として、ダストケース３の天面部３Ａに設け、鈎形の部分でレコードジャケットＲＪを係止するようにしてもよい。
このような本実施形態によっても、前述した第１実施形態および第２実施形態と同様の作用および効果を享受することができる。
【００２１】
［４］第４実施形態
次に、本発明の第４実施形態について説明する。
前述した第２実施形態に係るストッパ５は、アナログレコードプレーヤー本体２の後面を覆う側板部３Ｄの内面から突出して設けられていた。
これに対して、本実施形態に係るストッパ６は、図５に示されるように、側板部３Ｄの内面に形成された溝である点が相違する。
【００２２】
ストッパ６は、アナログレコードプレーヤー本体２の幅方向に沿って延びる溝から構成され、側板部３Ｄの内面を加工、成形などすることにより、形成することができる。また、ダストカバー３の側板部３Ｄの形状を加工、成形などしてもよい。ストッパ６となる溝は、側板部３Ｄの全幅にわたって形成されていてもよく、幅方向端部を残した溝としてもよい。
このような本実施形態によっても、前述した第２実施形態と同様の作用および効果を享受することができる。
【符号の説明】
【００２３】
１…レコードプレーヤー、２…アナログレコードプレーヤー本体、２Ａ…ターンテーブル、２Ｂ…トーンアーム、２Ｃ…ヘッドシェル、２Ｄ…パワースイッチ、２Ｅ…スタートストップボタン、２Ｆ…スピードチェンジボタン、２Ｇ…テンポスライダー、２Ｈ…イルミネーター、３…ダストケース、３Ａ…天面部、３Ｂ…側板部、３Ｃ…側板部、３Ｄ…側板部、４…ヒンジ、５…ストッパ、６…ストッパ、ＲＪ…レコードジャケット、θ…角度。
【図１】
0006550542.tif 000002
【図２】
0006550542.tif 000003
【図３】
0006550542.tif 000004
【図４】
0006550542.tif 000005
【図５】
0006550542.tif 000006